(57)【要約】      （修正有）【課題】第１の長手形状部材と第２の長手形状部材の閉状態を片手で解除することができるクリップを提供する。【解決手段】クリップＣは、第１の長手形状部材１と第２の長手形状部材２との間に袋状容器を挟んで袋状容器を密封するクリップＣであって、接続部には、凸部が設けられ、第１の長手形状部材１と第２の長手形状部材２の閉状態の際、凸部に対向する第２の長手形状部材２の部位に凸部に係止する係止部２１が設けられ、凸部が係止部２１に係止して、第１の長手形状部材１と第２の長手形状部材２の閉状態が保持され、第１の当接部１１ａと第２の当接部１１ｂが近づくように摘み部１１を押圧して第１の長手形状部材１と第２の長手形状部材２の閉状態を解除することができるものである。【選択図】図２
0003207433.tif 000002
【実用新案登録請求の範囲】
【請求項１】
第１の長手形状部材と第２の長手形状部材との間に袋状容器を挟んで前記袋状容器を密封するクリップであって、
前記第１の長手形状部材の端部に摘み部が設けられ、
この摘み部は、第１の指が当接する第１の当接部と、第２の指が当接する第２の当接部とを有し、この第２の当接部と前記第１の当接部とは、対向すると共に、前記第２の当接部の外方側の端部と前記第１の当接部の外方側の端部とは離間し、前記第２の当接部の外方側の端部より遠い側の端部と前記第１の当接部の外方側の端部より遠い側の端部とは接続部で接続され、
この接続部には、係止部が設けられ、
前記第１の長手形状部材と前記第２の長手形状部材の閉状態の際、前記係止部に対向する前記第２の長手形状部材の部位に前記係止部に係止する凸部が設けられ、
前記凸部が前記係止部に係止して、前記第１の長手形状部材と前記第２の長手形状部材の閉状態が保持され、前記第１の当接部と前記第２の当接部が近づくように前記摘み部を押圧して前記第１の長手形状部材と前記第２の長手形状部材の閉状態を解除する
ことを特徴とするクリップ。  
【請求項２】
第１の長手形状部材と第２の長手形状部材との間に袋状容器を挟んで前記袋状容器を密封するクリップであって、
前記第１の長手形状部材の端部に摘み部が設けられ、
この摘み部は、第１の指が当接する第１の当接部と、第２の指が当接する第２の当接部とを有し、この第２の当接部と前記第１の当接部とは、対向すると共に、前記第２の当接部の外方側の端部と前記第１の当接部の外方側の端部とは離間し、前記第２の当接部の外方側の端部より遠い側の端部と前記第１の当接部の外方側の端部より遠い側の端部とは接続部で接続され、
この接続部には、凸部が設けられ、
前記第１の長手形状部材と前記第２の長手形状部材の閉状態の際、前記凸部に対向する前記第２の長手形状部材の部位に前記凸部に係止する係止部が設けられ、
前記凸部が前記係止部に係止して、前記第１の長手形状部材と前記第２の長手形状部材の閉状態が保持され、前記第１の当接部と前記第２の当接部が近づくように前記摘み部を押圧して前記第１の長手形状部材と前記第２の長手形状部材の閉状態を解除する
ことを特徴とするクリップ。  
【請求項３】
第１の長手形状部材と第２の長手形状部材との間に袋状容器を挟んで前記袋状容器を密封するクリップであって、
前記第１の長手形状部材の端部に設けられ、前記第１の長手形状部材の長手方向に移動自在な移動体と、
この移動体に設けられた凸部と、
前記第１の長手形状部材と前記第２の長手形状部材の閉状態の際、前記凸部に対向する前記第２の長手形状部材の部位に設けられた前記凸部に係止する係止部とを備え、
前記係止部が前記凸部に係止して、前記第１の長手形状部材と前記第２の長手形状部材の閉状態が保持され、前記移動体を押圧して前記第１の長手形状部材と前記第２の長手形状部材の閉状態を解除する
ことを特徴とするクリップ。  
【請求項４】
第１の長手形状部材と第２の長手形状部材との間に袋状容器を挟んで前記袋状容器を密封するクリップであって、
前記第１の長手形状部材の端部に設けられ、前記第１の長手形状部材の長手方向に移動自在な移動体と、
この移動体に設けられた係止部と、
前記第１の長手形状部材と前記第２の長手形状部材の閉状態の際、前記係止部に対向する前記第２の長手形状部材の部位に設けられた前記係止部に係止する凸部とを備え、
前記係止部が前記凸部に係止して、前記第１の長手形状部材と前記第２の長手形状部材の閉状態が保持され、前記移動体を押圧して前記第１の長手形状部材と前記第２の長手形状部材の閉状態を解除する
ことを特徴とするクリップ。  
【請求項５】
第１の長手形状部材は、プラスチックで形成され、
第１の当接部の外表面は、前記第１の長手形状部材の長手方向の外表面に沿い、
第２の当接部は、外方に向かって前記第１の当接部から離間するように傾斜する
ように形成され、
前記第２の当接部の外表面に指の滑りを阻止する凸部又は凹部が形成されている
ことを特徴とする請求項１又は請求項２記載のクリップ。 
【請求項６】
移動体の外方に位置する端面が第２の長手形状部材の外方に位置する端面より突出している
ことを特徴とする請求項３又は請求項４記載のクリップ。
【請求項７】
第１の長手形状部材又は第２の長手形状部材の外表面に形成された平坦面と、
この平坦面に設けられた磁石とを備えている
ことを特徴とする請求項１〜４のいずれかに記載のクリップ。 
【考案の詳細な説明】
【技術分野】
【０００１】
本考案は、クリップに係り、特に、第１の長手形状部材と第２の長手形状部材の閉状態を片手で解除することができるクリップに関する。
【背景技術】
【０００２】
従来、第１の長手形状部材と第２の長手形状部材との間に物品を挟むことができる袋状容器の密封するクリップがある（特許文献１参照）。
【先行技術文献】
【特許文献】
【０００３】
【特許文献１】特許第５８３５７１４号公報
【考案の概要】
【考案が解決しようとする課題】
【０００４】
しかしながら、上記クリップにあっては、第１の長手形状部材と第２の長手形状部材の閉状態を解除するには、第１の長手形状部材を一方の手で、第２の長手形状部材を他方の手で、それぞれ把持しなければならず、使用しづらいという問題点があった。
【０００５】
本考案は、上記の点を考慮してなされたもので、第１の長手形状部材と第２の長手形状部材の閉状態を片手で解除することができるクリップを提供することを目的とする。
【課題を解決するための手段】
【０００６】
請求項１記載のクリップは、第１の長手形状部材と第２の長手形状部材との間に袋状容器を挟んで前記袋状容器を密封するクリップであって、前記第１の長手形状部材の端部に摘み部が設けられ、この摘み部は、第１の指が当接する第１の当接部と、第２の指が当接する第２の当接部とを有し、この第２の当接部と前記第１の当接部とは、対向すると共に、前記第２の当接部の外方側の端部と前記第１の当接部の外方側の端部とは離間し、前記第２の当接部の外方側の端部より遠い側の端部と前記第１の当接部の外方側の端部より遠い側の端部とは接続部で接続され、この接続部には、係止部が設けられ、前記第１の長手形状部材と前記第２の長手形状部材の閉状態の際、前記係止部に対向する前記第２の長手形状部材の部位に前記係止部に係止する凸部が設けられ、前記凸部が前記係止部に係止して、前記第１の長手形状部材と前記第２の長手形状部材の閉状態が保持され、前記第１の当接部と前記第２の当接部が近づくように前記摘み部を押圧して前記第１の長手形状部材と前記第２の長手形状部材の閉状態を解除するものである。
【０００７】
また、請求項２記載のクリップは、第１の長手形状部材と第２の長手形状部材との間に袋状容器を挟んで前記袋状容器を密封するクリップであって、前記第１の長手形状部材の端部に摘み部が設けられ、この摘み部は、第１の指が当接する第１の当接部と、第２の指が当接する第２の当接部とを有し、この第２の当接部と前記第１の当接部とは、対向すると共に、前記第２の当接部の外方側の端部と前記第１の当接部の外方側の端部とは離間し、前記第２の当接部の外方側の端部より遠い側の端部と前記第１の当接部の外方側の端部より遠い側の端部とは接続部で接続され、この接続部には、凸部が設けられ、前記第１の長手形状部材と前記第２の長手形状部材の閉状態の際、前記凸部に対向する前記第２の長手形状部材の部位に前記凸部に係止する係止部が設けられ、前記凸部が前記係止部に係止して、前記第１の長手形状部材と前記第２の長手形状部材の閉状態が保持され、前記第１の当接部と前記第２の当接部が近づくように前記摘み部を押圧して前記第１の長手形状部材と前記第２の長手形状部材の閉状態を解除するものである。
【０００８】
また、請求項３記載のクリップは、第１の長手形状部材と第２の長手形状部材との間に袋状容器を挟んで前記袋状容器を密封するクリップであって、前記第１の長手形状部材の端部に設けられ、前記第１の長手形状部材の長手方向に移動自在な移動体と、この移動体に設けられた凸部と、前記第１の長手形状部材と前記第２の長手形状部材の閉状態の際、前記凸部に対向する前記第２の長手形状部材の部位に設けられた前記凸部に係止する係止部とを備え、前記係止部が前記凸部に係止して、前記第１の長手形状部材と前記第２の長手形状部材の閉状態が保持され、前記移動体を押圧して前記第１の長手形状部材と前記第２の長手形状部材の閉状態を解除するものである。
【０００９】
また、請求項４記載のクリップは、第１の長手形状部材と第２の長手形状部材との間に袋状容器を挟んで前記袋状容器を密封するクリップであって、前記第１の長手形状部材の端部に設けられ、前記第１の長手形状部材の長手方向に移動自在な移動体と、この移動体に設けられた係止部と、前記第１の長手形状部材と前記第２の長手形状部材の閉状態の際、前記係止部に対向する前記第２の長手形状部材の部位に設けられた前記係止部に係止する凸部とを備え、前記係止部が前記凸部に係止して、前記第１の長手形状部材と前記第２の長手形状部材の閉状態が保持され、前記移動体を押圧して前記第１の長手形状部材と前記第２の長手形状部材の閉状態を解除するものである。
【００１０】
また、請求項５記載のクリップは、請求項１又は請求項２記載のクリップにおいて、第１の長手形状部材は、プラスチックで形成され、第１の当接部の外表面は、前記第１の長手形状部材の長手方向の外表面に沿い、第２の当接部は、外方に向かって前記第１の当接部から離間するように傾斜するように形成され、前記第２の当接部の外表面に指の滑りを阻止する凸部又は凹部が形成されているものである。
【００１１】
また、請求項６記載のクリップは、請求項３又は請求項４記載のクリップにおいて、移動体の外方に位置する端面が第２の長手形状部材の外方に位置する端面より突出しているものである。
【００１２】
また、請求項７記載のクリップは、請求項１〜４のいずれかに記載のクリップにおいて、第１の長手形状部材又は第２の長手形状部材の外表面に形成された平坦面と、この平坦面に設けられた磁石とを備えているものである。
【考案の効果】
【００１３】
請求項１記載のクリップによれば、第１の当接部と第２の当接部が近づくように摘み部を押圧して、つまり、片手で摘み部を摘んで、第１の長手形状部材と第２の長手形状部材の閉状態を容易に解除することができる。
【００１４】
また、請求項２記載のクリップによれば、第１の当接部と第２の当接部が近づくように摘み部を押圧して、つまり、片手で摘み部を摘んで、第１の長手形状部材と第２の長手形状部材の閉状態を容易に解除することができる。
【００１５】
また、請求項３記載のクリップによれば、移動体を押圧して、つまり、片手で移動体をプッシュして、第１の長手形状部材と第２の長手形状部材の閉状態を容易に解除することができる。
【００１６】
また、請求項４記載のクリップによれば、移動体を押圧して、つまり、片手で移動体をプッシュして、第１の長手形状部材と第２の長手形状部材の閉状態を容易に解除することができる。
【００１７】
また、請求項５記載のクリップによれば、上述した請求項１又は請求項２記載の考案の効果に加え、第１の長手形状部材は、プラスチックで形成され、第１の当接部の外表面は、前記第１の長手形状部材の長手方向の外表面に沿い、第２の当接部は、外方に向かって前記第１の当接部から離間するように傾斜するように形成されているため、摘み部の弾性力を利用して第１の長手形状部材と第２の長手形状部材の閉状態を良好に保つことができ、また、第２の当接部の外表面に凸部又は凹部が形成されており、指の滑りを阻止することができ、使用勝手の良好なクリップを得ることができる。
【００１８】
また、請求項６記載のクリップによれば、上述した請求項３又は請求項４記載の考案の効果に加え、移動体の外方に位置する端面が第２の長手形状部材の外方に位置する端面より突出しているため、突出している分、移動体を押圧し易く、使用勝手の良好なクリップを得ることができる。
【００１９】
また、請求項７記載のクリップによれば、上述した請求項１〜４のいずれかに記載の考案の効果に加え、第１の長手形状部材又は第２の長手形状部材の外表面に形成された平坦面と、この平坦面に設けられた磁石とを備えているため、例えば、冷蔵庫に磁石を介してクリップを付着させることができる。
【図面の簡単な説明】
【００２０】
【図１】図１は、本考案の一実施例のクリップを袋に装着した状態の概略的斜視図である。
【図２】図２は、図１のクリップの開閉状態を示す概略的斜視図である。
【図３】図３は、図２のクリップの閉じた状態の概略的斜視図である。
【図４】図４は、図３のクリップの概略的正面図である。
【図５】図５は、図４の概略的右側面図である。
【図６】図６は、図４の概略的左側面図である。
【図７】図７は、図４の概略的平面図である。
【図８】図８（ａ）は、図４のＡ−Ａ線による概略的断面図であり、図８（ｂ）は、図８（ａ）のｄ部を拡大して示す概略的一部拡大断面図である。
【図９】図９は、図４のＢ−Ｂ線による概略的断面図である。
【図１０】図１０は、図３のクリップが開いた状態の概略的斜視図である。
【図１１】図１１は、図１のクリップと異なる他の実施例のクリップの図８に対応するもので、図１１（ａ）は、概略的断面図であり、図１１（ｂ）は、図１１（ａ）のｄ部を拡大して示す概略的一部拡大断面図である。
【図１２】図１２（ａ）は、図１１（ａ）のクリップが開いた状態の概略的斜視図であり、図１２（ｂ）は、図１２（ａ）のｄ部を拡大して示す概略的一部拡大斜視図である。
【図１３】図１３は、図１１のクリップと異なる他の実施例のクリップを袋に装着した状態の概略的斜視図である。
【図１４】図１４は、図１３のクリップの開閉状態を示す概略的斜視図である。
【図１５】図１５は、図１４のクリップの閉じた状態の概略的斜視図である。
【図１６】図１６は、図１５のクリップの概略的正面図である。
【図１７】図１７は、図１６の概略的右側面図である。
【図１８】図１８は、図１６の概略的左側面図である。
【図１９】図１９は、図１６の概略的平面図である。
【図２０】図２０は、図１９のＡ−Ａ線による概略的断面図である。
【図２１】図２１は、図１９のクリップが開いた状態の概略的平面図である。
【図２２】図２２は、図２１のクリップの概略的斜視図である。
【図２３】図２３は、図２１のＡ−Ａ線による概略的断面図である。
【考案を実施するための形態】
【００２１】
本考案の一実施例のクリップを図面（図１乃至図１２参照）を参照して説明する。
図１に示すＣは、第１の長手形状部材１と第２の長手形状部材２との間に袋状容器（例えば、袋）Ｐを挟んで袋状容器Ｐを密封するクリップである。
【００２２】
第１の長手形状部材１と第２の長手形状部材２は、ヒンジ３により接続され、回動自在となっている。
第１の長手形状部材１の端部には、摘み部１１が設けられ、この摘み部１１は、第１の指（例えば、人差し指）が当接する第１の当接部１１ａと、第２の指（例えば、親指）が当接する第２の当接部１１ｂとを有し、この第２の当接部１１ｂと第１の当接部１１ａとは、対向すると共に、第２の当接部１１ｂの外方側の端部と第１の当接部１１ａの外方側の端部とは離間し、第２の当接部１１ｂの外方側の端部より遠い側の端部と第１の当接部１１ａの外方側の端部より遠い側の端部とは接続部１１ｃで接続されている。接続部１１ｃには、係止部Ｋが設けられている。
【００２３】
図８（ａ）（ｂ）に示すように、第１の長手形状部材１と第２の長手形状部材２の閉状態の際、係止部Ｋに対向する第２の長手形状部材２の部位に係止部Ｋに係止する凸部Ｔが設けられ、凸部Ｔが係止部Ｋに係止して、第１の長手形状部材１と第２の長手形状部材２の閉状態が保持される。
そして、図２に示すように、第１の当接部１１ａと第２の当接部１１ｂが近づくように摘み部１１を、例えば、親指と人差し指を使って、押圧して第１の長手形状部材１と第２の長手形状部材２の閉状態を解除することができる。
【００２４】
その結果、上述のクリップＣによれば、第１の当接部１１ａと第２の当接部１１ｂが近づくように摘み部１１を押圧して、つまり、片手で摘み部１１を摘んで、第１の長手形状部材１と第２の長手形状部材２の閉状態を容易に解除することができる。
なお、クリップＣは、プラスチックで形成され、第１の当接部１１ａの外表面は、図７に示すように、第１の長手形状部材１の長手方向の外表面に沿い、第２の当接部１１ｂは、外方に向かって第１の当接部１１ａから離間するように傾斜するように形成されているため、摘み部１１の弾性力を利用して第１の長手形状部材１と第２の長手形状部材２の閉状態を良好に保つことができ、また、第２の当接部１１ｂの外表面に凸部Ｔ（又は，図示しない凹部）が形成されており、指の滑りを阻止することができ、使用勝手の良好なクリップＣを得ることができる。
【００２５】
なお、接続部１１ｃに係止部Ｋ、第１の長手形状部材１と第２の長手形状部材２の閉状態の際、係止部Ｋに対向する第２の長手形状部材２の部位に係止部Ｋに係止する凸部Ｔを設けたが、逆に、図１１及び図１２に示すように、接続部１１ｃに凸部Ｔ、第１の長手形状部材１と第２の長手形状部材２の閉状態の際、凸部Ｔに対向する第２の長手形状部材２の部位に凸部Ｔに係止する係止部Ｋを設けるようにしても良い。
【００２６】
次に、上述のクリップＣと異なる他の実施例のクリップＣを図面（図１３乃至図２３参照）を参照して説明する。
図１３に示すＣは、第１の長手形状部材１と第２の長手形状部材２との間に袋状容器（例えば、袋）Ｐを挟んで袋状容器Ｐを密封するクリップである。
【００２７】
第１の長手形状部材１と第２の長手形状部材２は、上述の実施例と同様、ヒンジ３により接続され、回動自在となっている。
また、図１３に示す４は、第１の長手形状部材１の長手方向に移動自在な移動体で、
移動体４は、第１の長手形状部材１１の端部に設けられ、移動体４は、図２０に示すように、例えば、弾性部材、具体的には、バネ４０により、第１の長手形状部材１の長手方向に移動自在となっている。
移動体４には、凸部４１が設けられている。
図１８に示すように、第１の長手形状部材１と第２の長手形状部材２の閉状態の際、凸部４１に対向する第２の長手形状部材２の部位に凸部４１に係止する係止部２１が設けられ、凸部４１が係止部２１に係止して、第１の長手形状部材１と第２の長手形状部材２の閉状態が保持される。
そして、図１４に示すように、移動体４を押圧して、例えば、親指で押圧して第１の長手形状部材１と第２の長手形状部材２の閉状態を解除することができる。
【００２８】
その結果、上述（図１３乃至図２３）のクリップＣによれば、移動体４を押圧して、つまり、片手で移動体４をプッシュして、第１の長手形状部材１と第２の長手形状部材２の閉状態を容易に解除することができる。
【００２９】
なお、移動体４に凸部４１、第１の長手形状部材１と第２の長手形状部材２の閉状態の際、凸部４１に対向する第２の長手形状部材２の部位に凸部４１に係止する係止部２１を設けたが、逆に、移動体４に係止部（図示せず）、第１の長手形状部材１と第２の長手形状部材２の閉状態の際、係止部（図示せず）に対向する第２の長手形状部材２の部位に係止部（図示せず）に係止する凸部（図示せず）を設けるようにしても良い。
【００３０】
また、図１４及び図１５に示す５は磁石で、磁石５は、第２の長手形状部材２の外表面に形成された平坦面に設けられている。例えば、冷蔵庫の扉の外表面に磁石５を介してクリップＣを付着させ、利便性の向上を図ることができる。
磁石５は、第２の長手形状部材２の外表面に限らず、 第１の長手形状部材１の平坦面でも良く、また、図１３乃至図２３のクリップＣに限らず、図１乃至図１２のクリップＣの第１の長手形状部材１の平坦面でも良く、図１乃至図１２のクリップＣの第２の長手形状部材２の平坦面でも良い。
【符号の説明】
【００３１】
Ｃ      クリップ
１      第１の長手形状部材
２      第２の長手形状部材
Ｐ      袋状容器
１１    摘み部
１１ａ  第１の当接部   
１１ｂ  第２の当接部
１１ｃ  接続部
１１ｄ  凸部
２１    係止部
【図１】
0003207433.tif 000003
【図２】
0003207433.tif 000004
【図３】
0003207433.tif 000005
【図４】
0003207433.tif 000006
【図５】
0003207433.tif 000007
【図６】
0003207433.tif 000008
【図７】
0003207433.tif 000009
【図８】
0003207433.tif 000010
【図９】
0003207433.tif 000011
【図１０】
0003207433.tif 000012
【図１１】
0003207433.tif 000013
【図１２】
0003207433.tif 000014
【図１３】
0003207433.tif 000015
【図１４】
0003207433.tif 000016
【図１５】
0003207433.tif 000017
【図１６】
0003207433.tif 000018
【図１７】
0003207433.tif 000019
【図１８】
0003207433.tif 000020
【図１９】
0003207433.tif 000021
【図２０】
0003207433.tif 000022
【図２１】
0003207433.tif 000023
【図２２】
0003207433.tif 000024
【図２３】
0003207433.tif 000025